(57)【特許請求の範囲】
【請求項１】
水平方向に延びるギア収納室、該ギア収納室の上部に開口した材料入口、及び、同室の下部に開口した材料出口、を備えるハウジングと、
該ハウジングの上記ギア収納室内に同ギア収納室の長手軸線方向で所定間隔をあけて設けられ、上記材料入口から上記材料出口まで材料を移送するようにされている、それぞれが一対のギアを備える複数のギアポンプと、
該ギアポンプの間に設定されて、上記材料出口を分割し、各ギアポンプ毎の独立した材料出口を形成する隔壁部材と、
を備え、
上記少なくとも１つのギアポンプのギアの端面が回転摺動する上記隔壁部材の側面には、該ギアポンプに対する上記分割された上記材料出口を上記材料入口に連通し、該材料出口から上記材料入口へ材料が戻ることが出来るようにした材料帰還溝が設けられ、
該材料帰還溝の設けられた隔壁部材には、
該材料帰還溝内へ押込まれることによって、該材料帰還溝を通り材料出口から材料入口へ戻る材料に対する流路抵抗を与える絞り部材と、
上記ハウジングの外側から、該隔壁部材内を通して、上記絞り部材の該材料帰還溝への押込み量を調節し該材料出口から該材料帰還溝を通り該材料入口に戻される材料を調整することにより、該材料出口から外部に排出される材料の量を調整するようにした調節装置と
が設けられている
ことを特徴とする材料調量供給装置。
【請求項２】
上記隔壁部材が、
上記ギアポンプの間に設定され、該ギアポンプの上記一対のギアの端面と同じ寸法形状の側面を有し、ギアポンプと共に上記ギア収納室内に設定されるようにしたギア間部材と
各ギア間部材に連続して、上記分割された材料出口間に位置するようして上記ハウジングに一体的に形成された隔壁部分と、
を有することを特徴とする請求項１に記載の材料調量供給装置。
【請求項３】
上記ギア間部材が、上記一対のギアを構成する各ギアの側面と同じ寸法の円盤状とされ、上記一対のギアのかみ合い部分に対応する部分で相互に突き合わされて、全体として、かみ合わされた一対のギアの側面と同じ寸法形状の側面を有するようになされていることを特徴とする請求項２に記載の材料調量供給装置。
【請求項４】
上記調節装置が、上記隔壁部材の上記ギア間部材の内部において上記ギアと平行な軸線の周りで回転可能に設けられた内部ギアと、上記ハウジングに回転可能に取り付けられ、該内部ギアとの間で回転伝達可能とされ上記ハウジングの外部から回転操作可能とされた操作ギアとを有し、上記材料帰還溝が上記ギア間部材の上記側面を通って延びるように形成され、上記絞り部材が上記ギア間部材内に設けられ、該操作ギアを回転させることにより内部ギアを回転し、該内部ギアがその回転に伴って上記絞り部材を動かして該絞り部材の上記材料帰還溝内への押込み量を調節するようにされており、上記内部ギアの端面が、上記絞り部材に接するようになされ、該端面が、該内部ギアの軸線の方向で見て、上記材料帰還溝に近い部分と同材料帰還溝から離れた部分とを有する起伏を有し、該内部ギアの回転により、同端面の起伏が同絞り部材の上記材料帰還溝内への押込み量を変化させるようにしたことを特徴とする請求項２又は３に記載の材料調量供給装置。
【発明の詳細な説明】
【技術分野】
【０００１】
本発明は材料調量供給装置に関し、特に、ホッパーから魚肉すりみなどの材料を次工程のために調量して供給するための装置に関する。
【背景技術】
【０００２】
ホッパーに収納した魚肉すりみ等の材料を次工程のために供給する場合には、ホッパーの下部開口に取り付けた材料調量供給装置を通して所定量ずつ供給する。
【０００３】
図１及び図２は、そのような材料調量供給装置１０を備えたホッパーＨの一例を示す。
すなわち、この材料調量供給装置１０は、ギアポンプを用いたものであり、図２で見て水平方向に延びるギア収納室１２、該室の上部に開口した材料入口１４(図１)、及び、同ギア収納室の下部に開口した材料出口１６、を備えるハウジング１８と、該ハウジングの上記ギア収納室１２内に収納された一対のギア２０とを備え、該ギアが回転して、上記材料入口１４から上記材料出口１６まで材料を移送するようにされており、材料は材料出口１６から複数のノズル２２−１，２２−２，２２−３を通して排出されるようになっている。
【０００４】
この従来の装置では、各ノズル２２を通して排出される材料の量を調節するために、調量ネジ２４が設けられており、該ネジを回転することにより、同ネジのノズル内への侵入程度を調節し、同ノズルから排出される材料の流れに対する流路抵抗を調節し、排出量を調節するようになっている。
【０００５】
しかしながら、このような従来の装置においては、例えば１つのノズル２２−２において調量ネジ２４による調量を行うと、他のノズル２２−１，２２−３は材料出口１６によりノズル２２−２に連通されているために、該他のノズル２２−１，２２−３を通して排出される材料の量に影響を与えてしまう、という問題があった。
【発明の開示】
【発明が解決しようとする課題】
【０００６】
本発明は、このような従来の材料調量供給装置の問題を解決することを目的とする。
【課題を解決するための手段】
【０００７】
すなわち、本発明に係る材料調量供給装置は、
水平方向に延びるギア収納室、該ギア収納室の上部に開口した材料入口、及び、同室の下部に開口した材料出口、を備えるハウジングと、
該ハウジングの上記ギア収納室内に同ギア収納室の長手軸線方向で所定間隔をあけて設けられ、上記材料入口から上記材料出口まで材料を移送するようにされている、それぞれが一対のギアから構成された複数のギアポンプと、
該ギアポンプの間に設定されて、上記材料出口を分割し、各ギアポンプ毎の独立した材料出口を形成する隔壁部材と、
を備え、
上記少なくとも１つのギアポンプのギアの端面が回転摺動する上記隔壁部材の側面には、該ギアポンプに対する上記分割された上記材料出口を上記材料入口に連通し、該材料出口から上記材料入口へ材料が戻ることが出来るようにした材料帰還溝が設けられ、
該材料帰還溝の設けられた隔壁部材には、
該材料帰還溝内へ押込まれることによって、該材料帰還溝を通り材料出口から材料入口へ戻る材料に対する流路抵抗を与える絞り部材と、
上記ハウジングの外側から、該隔壁部材内を通して、上記絞り部材の該材料帰還溝への押込み量を調節するようにした調節装置と
が設けられている
ことを特徴とする。
本発明に係るこの材料調量供給装置では、材料出口が、材料入口から供給される材料により材料入口よりも圧力が高くなっており、従って、材料帰還溝を通しての材料出口から材料入口への材料の帰還が生じるが、材料帰還溝の流路抵抗を調節することにより、該材料帰還溝を通しての材料の帰還量を調節して、ノズルからの材料の排出を調節するものである。本願発明では、前述の従来装置とは異なり、材料出口が各ギアポンプ毎に分離独立されたものとされているために、上記の如くして行う１つのノズルからの材料排出量の調節によって他のノズルからの材料排出に影響を生じることは無く、従って、どのノズルからの材料排出でもそれぞれ別個に調節することが出来る。
【０００８】
具体的には、上記隔壁部材が、
上記ギアポンプの間に設定され、該ギアポンプの上記一対のギアの端面と同じ寸法形状の側面を有し、ギアポンプと共に上記ギア収納室内に設定されるようにしたギア間部材と
各ギア間部材に連続して、上記分割された材料出口間に位置するようして上記ハウジングに一体的に形成された隔壁部分と、
を有するようにしたものとすることができる。
【０００９】
より具体的には、
上記ギア間部材が、上記一対のギアを構成する各ギアの側面と同じ寸法の円盤状とされ、上記一対のギアのかみ合い部分に対応する部分で相互に突き合わされて、全体として、該かみ合わされた一対のギアの端面と同じ寸法形状の側面を有するようにすることができる。
【００１０】
また、上記調節装置は、上記隔壁部材内部において、上記ギアと平行にして回転可能に設けられた内部ギアと、該内部ギアと回転駆動連結され上記ハウジングの外部から回転操作可能とされた操作ギアとを有し、該操作ギアを回転させることにより内部ギアを回転し、該内部ギアがその回転に伴って上記絞り部材を動かして該絞り部材の上記材料帰還溝内への押込み量を調節するようにしたものとすることができる。
【００１１】
更に、上記内部ギアの端面が、上記絞り部材に接するようになされ、該端面が上記材料帰還溝に近い部分と同材料帰還溝から離れた部分とを有する起伏を有し、該内部ギアの回転により、同端面の起伏が同絞り部材の上記材料帰還溝内への押込み量を変化させるようにしたことを特徴とするものとすることができる。
【発明を実施するための最良の形態】
【００１２】
以下、本発明に係る材料調量供給装置の実施形態を説明する。
図３及び図４に示すように、本発明に係る材料調量供給装置３０は、図４で見て水平方向に延びるギア収納室３２、該室の上部に開口した材料入口３４、及び、同室の下部に開口した材料出口３６、を備えるハウジング３８と、該ハウジング３８のギア収納室３４内に同ギア収納室の長手軸線方向で所定間隔をあけて設けられる複数のギアポンプ（図示の例では３個のギアポンプ）４０とを有する。各ギアポンプ４０は、上記長手軸線方向に対して直角且つ水平方向で相互に離され平行とされた一対の水平方向軸線の周りで回転可能とされ相互にかみ合う一対のギア４０−１を備え、該ギアが（図示しないモータにより矢印で示す方向に）回転されて、上記材料入口３４から上記材料出口３６まで材料を移送するようにされている。
【００１３】
該ギアポンプ４０の間には隔壁部材４２が設けられ、該材料出口３６を分離し、各ギアポンプに対応した材料出口３６−１が形成されている。隔壁部材４２は、詳細には、図５に示すように、各材料出口３６ (図３)を各ギアポンプ４０毎に分離独立するためにハウジング３８の図５で見て下部中央部分からギア収納室内に上方に山形に延びる該ハウジングと一体成型されている隔壁部分４２−２と、ギアポンプ４０間に設定され、該ギアポンプ４０一対のギア４０−１を構成する各ギアの端面と同じ寸法の円盤状とされて、上記一対のギアのかみ合い部分に対応する部分で相互に突き合わされて、全体として、該かみ合わされた一対のギアの側面と同じ寸法形状の側面４２−１を有するようにされた一対のギア間部材４２−３，４２−４と、から構成されている。該ギア間部材の側面４２−１は、隣接するギアポンプの一対のギア４０−１の端面４０−２が摺動するようにされている。
【００１４】
各ギアポンプ４０に対する各材料出口３６−１を材料入口３４に連通する材料帰還溝４４が、ギア間部材４２−３，４２−４の側面４２−１に設けられ、各材料出口３６−１から材料入口３４へ材料が戻ることが出来るようにされている。図示の例では、該材料帰還溝４４が、一方のギア間部材４２−３の他方のギア間部材４２−４との垂直な突合せ部分４２−５に沿って垂直に設けられており、図４における左側にある一方のギア間部材４２−３の両側面４２−１に材料帰還溝４４が形成され、右側にある一方のギア間部材４２−３の右側の側面に材料帰還溝４４が形成されている。
【００１５】
材料帰還溝４４が設けられているギア間部材４２−３には、材料帰還溝４４内へ押込まれることによって、該材料帰還溝４４を通り材料出口３６から材料入口３４へ戻る材料に対する流路抵抗を与える絞り部材４６と、ハウジング３８の外側から、ギア間部材４２−３内を通して、絞り部材４６の材料帰還溝４４への押込み量を調節するようにした調節装置４８と、が設けられている。図６に示すギア間部材４２−３には、その両側面に材料帰還溝４４が形成されているので、各材料帰還溝４４に対する絞り部材４６及び調節装置４８が設けられている。調節装置４８は、ギア間部材４２−３内部に、該ギア間部材に隣接するギア４０−１と同心状にされて回転可能に設けられた内部ギア５０と、中間ギア５２を介して内部ギア５０と回転駆動連結とされハウジング３８の外部から回転操作可能とされた操作ギア５４とを有し、該操作ギア５４を回転させることにより内部ギア５０を回転し、該内部ギアがその回転に伴って絞り部材４６を動かして該絞り部材の材料帰還溝４４内への侵入量を調節するようになっている。図示の例では、絞り部材４６は、図６で見てほぼＬ字状とされており、一側面で内部ギア５０の端面５０−１に接しており、該端面５０−１には相互にほぼ９０°の間隔をあけて設けられた、上記材料帰還溝４４に近い部分５０−２と、該部分５０−２の間で同材料帰還溝４４から離れた部分５０−３とからなる起伏が設けられており、該内部ギア５０の回転により該端面の起伏が絞り部材４６の材料帰還溝４４内への侵入量を変化させるようにしている。
【００１６】
以上で説明した本発明に係る材料調量装置では、隔壁部材によって各ギアポンプ及びそれに対応する材料出口が分離独立されているので、１つのギアポンプに対する材料帰還溝の流路抵抗を調節し、ノズルから排出される材料の量を調節しても、他のギアポンプのノズルからの材料排出に影響を与えることは無く、従って、各ギアポンプのノズル毎の適正な材料排出調整を行うことが出来る。
【００１７】
以上、本発明の実施形態に付き述べたが、本発明に係る材料調量装置は、これに限定されるものではなく、特許請求の範囲に規定される本発明の概念に基づき種々の変更を加えることが出来るものである。
【図面の簡単な説明】
【００１８】
【図１】従来の材料調量供給装置を備えたホッパーの断面側面図である。
【図２】同ホッパーの正面図である。
【図３】本発明に係る材料調量供給装置を備えたホッパーの断面側面図である。
【図４】同ホッパーの正面図である。
【図５】図６におけるV-V線断面図である。
【図６】図４のVI-VI線断面図である。
【符号の説明】
【００１９】
Ｈ          ホッパー
１０        材料調量供給装置
１２        ギア収納室
１４        材料入口
１６        材料出口
１８        ハウジング
２０        ギア
２２−１    ノズル
２２−２    ノズル
２２−３    ノズル
２４        調量ネジ
３０        材料調量供給装置
３２        ギア収納室
３４        材料入口
３６        材料出口
３８        ハウジング
４０        ギアポンプ
４０−１    ギア
４０−２    端面
４２        隔壁部材
４２−１    側面
４２−２    隔壁部分
４２−３    ギア間部材  
４２−４    ギア間部材  
４２−５    突合せ部分
４４        材料帰還溝
４６        絞り部材
４８        調節装置
５０        内部ギア
５０−１    端面
５０−２    材料帰還溝に近い部分
５０−３    材料帰還溝から離れた部分
５２        中間ギア
５４        操作ギア
【図１】
0004627626.tif 000002
【図２】
0004627626.tif 000003
【図３】
0004627626.tif 000004
【図４】
0004627626.tif 000005
【図５】
0004627626.tif 000006
【図６】
0004627626.tif 000007